(57)【要約】【課題】ＡＤＦの原稿載置台にセットされた原稿に対して綴じ等の後処理を指示された場合、原稿の取出し前に原稿の枚数を予測することによって原稿読取りおよび画像形成を行う前に後処理の可否を判断し、ユーザに通知することのできる画像形成装置を提供する。【解決手段】ＡＤＦ４００と、装置本体３００と、シート部材後処理装置５００とを備えた複写機８０において、ＡＤＦ４００のＡＤＦコントローラは、原稿載置台に原稿の枚数を予測し、予測枚数情報を装置本体３００の本体制御部へ送信し、シート部材後処理装置５００の後処理コントローラは、後処理を施すことのできる後処理可能枚数を示す後処理可能枚数情報を前記本体制御部へ送信し、前記本体制御部は、前記予測枚数情報と前記後処理可能枚数情報とに基づいて原稿の搬送開始前に後処理の可否を判断し、装置本体３００のＬＣＤ表示部１０８ａに後処理情報（例えば、警告メッセージ）を表示させる。【選択図】図１
2009163139.tif 000002
【特許請求の範囲】
【請求項１】
原稿の画像を読取る画像読取手段と、原稿載置台の原稿を前記画像読取手段の読取位置へ１枚ずつ搬送する原稿搬送手段と、前記画像読取手段により読取られた前記原稿の画像を所定の用紙に形成する画像形成手段と、前記画像形成手段により前記原稿の画像が形成された前記用紙に対して後処理を施す後処理手段と、前記後処理手段の後処理の可否に関する後処理情報を表示する後処理情報表示手段と、を備え、
前記原稿載置台に複数の原稿が載置された状態で前記複数の原稿の枚数を予測して得られた原稿予測枚数と、前記後処理手段が後処理を施すことのできる後処理可能枚数と、に基づいて前記原稿の搬送開始前に後処理の可否を判断し、前記後処理情報表示手段に前記後処理情報を表示させることを特徴とする画像形成装置。
【請求項２】
原稿の画像を読取る画像読取手段と、原稿載置台の原稿を前記画像読取手段の読取位置へ１枚ずつ搬送する原稿搬送手段と、前記画像読取手段により読取られた前記原稿の画像を所定の用紙に形成する画像形成手段と、前記画像形成手段により前記原稿の画像が形成された前記用紙に対して後処理を施す後処理手段と、前記後処理手段の後処理の可否に関する後処理情報を表示する後処理情報表示手段と、前記画像読取手段、前記後処理情報表示手段および前記画像形成手段を制御する読取形成制御手段と、前記原稿搬送手段を制御する搬送制御手段と、前記後処理手段を制御する後処理制御手段と、前記読取形成制御手段と前記搬送制御手段との通信を行う第１通信手段と、前記読取形成制御手段と前記後処理制御手段との通信を行う第２通信手段と、を備え、
前記搬送制御手段は、前記原稿載置台に複数の原稿が載置された状態で前記複数の原稿の枚数を予測し、前記第１通信手段を介して前記複数の原稿の予測枚数を示す予測枚数情報を前記読取形成制御手段へ送信し、前記後処理制御手段は、前記第２通信手段を介して後処理を施すことのできる後処理可能枚数を示す後処理可能枚数情報を前記読取形成制御手段へ送信し、前記読取形成制御手段は、前記予測枚数情報と前記後処理可能枚数情報とに基づいて前記原稿の搬送開始前に後処理の可否を判断し、前記後処理情報表示手段に前記後処理情報を表示させることを特徴とする画像形成装置。
【請求項３】
前記原稿搬送手段は、前記原稿載置台に載置された前記複数の原稿の最上位から１枚ずつ分離する分離手段と、前記原稿載置台を初期位置から前記分離手段による分離位置まで移動する移動手段と、を備え、
前記搬送制御手段は、前記移動手段によって前記原稿載置台が初期位置から分離位置まで移動されたときの移動量に基づいて前記複数の原稿の枚数を予測することを特徴とする請求項２に記載の画像形成装置。
【請求項４】
前記移動手段を駆動するパルスモータを備え、
前記搬送制御手段は、前記パルスモータに入力されたパルス数に基づいて前記移動量を算出することを特徴とする請求項３に記載の画像形成装置。
【請求項５】
前記後処理情報表示手段により前記後処理情報が表示された場合、前記原稿搬送手段による前記原稿の搬送を開始するか否かを選択する搬送選択情報を入力する搬送選択入力手段を備えたことを特徴とする請求項２から請求項４のいずれか一項に記載の画像形成装置。
【請求項６】
前記搬送選択入力手段により所定時間内に前記搬送選択情報が入力されなかった場合、前記読取形成制御手段の制御によって前記原稿搬送手段による前記原稿の搬送、前記画像読取手段による前記原稿の画像読取りおよび前記画像形成手段による前記原稿の画像形成が継続して行われ、前記後処理制御手段の制御によって前記後処理手段による後処理が中止されることを特徴とする請求項５に記載の画像形成装置。
【請求項７】
前記搬送選択入力手段により所定時間内に前記搬送選択情報が入力されなかった場合、前記読取形成制御手段の制御によって前記原稿搬送手段による前記原稿の搬送、前記画像読取手段による前記原稿の画像読取りおよび前記画像形成手段による前記原稿の画像形成が中止され、前記後処理制御手段の制御によって前記後処理手段による後処理が中止されることを特徴とする請求項５に記載の画像形成装置。
【請求項８】
前記搬送選択入力手段により所定時間内に前記搬送選択情報が入力されなかった場合、前記原稿搬送手段による前記原稿の搬送、前記画像読取手段による前記原稿の画像読取りおよび前記画像形成手段による前記原稿の画像形成を継続し、かつ前記後処理手段による後処理を中止するか、または前記原稿搬送手段による前記原稿の搬送、前記画像読取手段による前記原稿の画像読取りおよび前記画像形成手段による前記原稿の画像形成を中止し、かつ前記後処理手段による後処理を中止するかを予め選択する継続中止選択情報を入力する継続中止選択入力手段を備えたことを特徴とする請求項６または請求項７に記載の画像形成装置。
【請求項９】
前記原稿搬送手段は、前記分離手段によって分離された１枚の原稿の厚さを測定する厚さ測定手段を備え、
前記搬送制御手段は、前記移動量と前記厚さ測定手段によって測定された前記原稿の厚さとに基づいて前記複数の原稿の枚数を再び予測し、前記第１通信手段を介して前記複数の原稿の再予測枚数を示す再予測枚数情報を前記読取形成制御手段へ送信し、前記読取形成制御手段は、前記再予測枚数情報と前記後処理可能枚数情報とに基づいて前記後処理の可否を判断し、前記後処理情報表示手段に前記後処理情報を再表示させることを特徴とする請求項３に記載の画像形成装置。
【発明の詳細な説明】
【技術分野】
【０００１】
本発明は、ステープル機能等の後処理機能を有する画像形成装置に関するものである。
【背景技術】
【０００２】
昨今の複写機、プリンタ等の画像形成装置においては、機器単体にてコピーやプリントアウトをするだけではなく、機器の上流側には自動原稿搬送装置(以下、ＡＤＦともいう)、下流側には出力される記録紙に綴じなどの処理を行う後処理装置等が装着される構成が多い。例えば、ＡＤＦに原稿をセットし、記録紙に後処理装置にて綴じ処理を行うように画像形成装置の操作部から指示することは通常に行われている。しかしながら、後処理装置の綴じ処理能力は決まっているため、ＡＤＦに後処理の綴じ処理能力以上の枚数の原稿がセットされた状態で、操作部から綴じ処理の指示が行われた場合は記録紙に綴じ処理を行うことはできない。
【０００３】
このような場合、従来の画像処理装置では主に次の２つの方法にて処理されていた。
【０００４】
１つ目の方法は、後処理装置に記録紙が綴じ能力以上の枚数が搬入されて来たときに後処理装置側で判断し、綴じ処理を行わずに後処理装置の排紙トレイへ排紙し、あるいは画像形成装置に記録紙の出力を停止するように依頼するものである。
【０００５】
２つ目の方法は、画像形成装置にて原稿を読取る際に原稿の枚数をカウントし、後処理装置の綴じ処理能力以上の枚数の原稿が読取られていないかを画像形成装置で判断し、後処理装置の綴じ処理能力を超えたものと判断した場合は画像形成を停止させるか、後処理装置にその旨を通知し後処理は綴じ処理を行わずに後処理装置の排紙トレイへ排紙させるものである。
【０００６】
前述した２つの方法は、読取られた原稿の枚数が後処理装置の綴じ処理能力を超えていないかの判断を後処理装置で行うか画像形成装置で行うかの違いはあるものの、すでに画像読取りおよび画像形成を開始してしまっており、出力された記録紙に対してはユーザ自ら綴じ処理を行う等の作業が生じてしまう。
【０００７】
また、例えばユーザが原稿をセットし、綴じ処理を指示してスタートした後にその場を離れてしまった場合、ユーザが戻ってきた時に要求した全ての部数が綴じ処理をされずに後処理の排紙トレイに記録紙が排紙されているか、１部目の途中で画像形成が停止していることがある。
【０００８】
そこで、この種の画像形成装置には、複写動作中における画像複写の一時中断を防止するために、原稿トレイに積載した原稿を給紙する給紙ローラの移動量を計測し、さらに原稿枚数を予測し、原稿枚数の予測結果と操作部から指定された複写部数とに基づいて、全複写シート枚数を予測し、予測した全複写シート枚数が排出シートを収容する装置の収容可能な枚数を超える場合、これを複写動作開始前に確認しているものがある（例えば、特許文献１参照）。なお、給紙ローラは移動して原稿に当接するとともに給紙を開始するため、複写動作の確認は原稿の搬送（給紙）開始後あるいは読取り開始後に行われることになる。
【０００９】
また、ステープル処理を諦めることなく印刷を継続するために、フィニッシャによるステープル処理を伴う印刷作業において、原稿読取り作業および印刷作業中に読取り枚数および印刷枚数がステープル許容枚数を越えると判断した場合に、１部目の印刷はステープル処理なしで行い、１部目の読取り時に読取った原稿枚数からステープル許容枚数内に収まる集約印刷手順を計算して、２部目以降は１部目と同様にステープル処理なしの印刷か、あるいは集約画像によるステープル処理を伴う印刷のいずれを行うかを操作部から選択可能にしているものもある（例えば、特許文献２参照）。
【特許文献１】特開２０００−７１８８号公報
【特許文献２】特開２００３−５７９９９号公報
【発明の開示】
【発明が解決しようとする課題】
【００１０】
しかしながら、従来の画像形成装置においては、原稿載置台上の原稿束に給紙ローラ（ピックアップローラに相当する）が接して原稿が取出され、給紙されて読取られる前に原稿の枚数を予測し、原稿搬送、原稿読取り（画像読取り）および画像形成が行われる前に後処理の可否を判断する点についてさらに改善の余地がある。
【００１１】
本発明は、従来の問題を解決するためになされたもので、ＡＤＦの原稿載置台にセットされた原稿に対して綴じ等の後処理を指示された場合、原稿の取出し前に原稿の枚数を予測することによって原稿搬送、画像読取りおよび画像形成を行う前に後処理の可否を判断し、ユーザに通知することのできる画像形成装置を提供することを目的とする。
【課題を解決するための手段】
【００１２】
（１）本発明の画像形成装置は、原稿の画像を読取る画像読取手段と、原稿載置台の原稿を前記画像読取手段の読取位置へ１枚ずつ搬送する原稿搬送手段と、前記画像読取手段により読取られた前記原稿の画像を所定の用紙に形成する画像形成手段と、前記画像形成手段により前記原稿の画像が形成された前記用紙に対して後処理を施す後処理手段と、前記後処理手段の後処理の可否に関する後処理情報を表示する後処理情報表示手段と、を備え、前記原稿載置台に複数の原稿が載置された状態で前記複数の原稿の枚数を予測して得られた原稿予測枚数と、前記後処理手段が後処理を施すことのできる後処理可能枚数と、に基づいて前記原稿の搬送開始前に後処理の可否を判断し、前記後処理情報表示手段に前記後処理情報を表示させることに特徴がある。
【００１３】
ここで、後処理は例えば、画像形成されたシート（印刷済み用紙）を綴るステープル処理に相当する。後処理情報は例えば、原稿セット枚数の予測値（予測枚数）が後処理手段の能力（後処理可能枚数数）を超えたことを示す警告メッセージに相当する。
【００１４】
（２）本発明の画像形成装置は、原稿の画像を読取る画像読取手段と、原稿載置台の原稿を前記画像読取手段の読取位置へ１枚ずつ搬送する原稿搬送手段と、前記画像読取手段により読取られた前記原稿の画像を所定の用紙に形成する画像形成手段と、前記画像形成手段により前記原稿の画像が形成された前記用紙に対して後処理を施す後処理手段と、前記後処理手段の後処理の可否に関する後処理情報を表示する後処理情報表示手段と、前記画像読取手段、前記後処理情報表示手段および前記画像形成手段を制御する読取形成制御手段と、前記原稿搬送手段を制御する搬送制御手段と、前記後処理手段を制御する後処理制御手段と、前記読取形成制御手段と前記搬送制御手段との通信を行う第１通信手段と、前記読取形成制御手段と前記後処理制御手段との通信を行う第２通信手段と、を備え、前記搬送制御手段は、前記原稿載置台に複数の原稿が載置された状態で前記複数の原稿の枚数を予測し、前記第１通信手段を介して前記複数の原稿の予測枚数を示す予測枚数情報を前記読取形成制御手段へ送信し、前記後処理制御手段は、前記第２通信手段を介して後処理を施すことのできる後処理可能枚数を示す後処理可能枚数情報を前記読取形成制御手段へ送信し、前記読取形成制御手段は、前記予測枚数情報と前記後処理可能枚数情報とに基づいて前記原稿の搬送開始前に後処理の可否を判断し、前記後処理情報表示手段に前記後処理情報を表示させることに特徴がある。
【００１５】
（３）本発明の画像形成装置において、前記原稿搬送手段は、前記原稿載置台に載置された前記複数の原稿の最上位から１枚ずつ分離する分離手段と、前記原稿載置台を初期位置から前記分離手段による分離位置まで移動する移動手段と、を備え、前記搬送制御手段は、前記移動手段によって前記原稿載置台が初期位置から分離位置まで移動されたときの移動量に基づいて前記複数の原稿の枚数を予測することに特徴がある。
【００１６】
ここで、初期位置は例えば、原稿がセットされていない待機状態で可動原稿テーブルが底板ホームポジションセンサに検知される位置に相当する。分離位置は例えば、原稿セット時にピックアップローラが可動原稿テーブルの上昇に応じて押上げられ、テーブル上昇センサに検知される位置（上限位置）に相当する。
【００１７】
（４）本発明の画像形成装置において、前記移動手段を駆動するパルスモータを備え、前記搬送制御手段は、前記パルスモータに入力されたパルス数に基づいて前記移動量を算出することに特徴がある。
【００１８】
（５）本発明の画像形成装置において、前記後処理情報表示手段により前記後処理情報が表示された場合、前記原稿搬送手段による前記原稿の搬送を開始するか否かを選択する搬送選択情報を入力する搬送選択入力手段を備えたことに特徴がある。
【００１９】
（６）本発明の画像形成装置において、前記搬送選択入力手段により所定時間内に前記搬送選択情報が入力されなかった場合、前記読取形成制御手段の制御によって前記原稿搬送手段による前記原稿の搬送、前記画像読取手段による前記原稿の画像読取りおよび前記画像形成手段による前記原稿の画像形成が継続して行われ、前記後処理制御手段の制御によって前記後処理手段による後処理が中止されることに特徴がある。
【００２０】
（７）本発明の画像形成装置において、前記搬送選択入力手段により所定時間内に前記搬送選択情報が入力されなかった場合、前記読取形成制御手段の制御によって前記原稿搬送手段による前記原稿の搬送、前記画像読取手段による前記原稿の画像読取りおよび前記画像形成手段による前記原稿の画像形成が中止され、前記後処理制御手段の制御によって前記後処理手段による後処理が中止されることに特徴がある。
【００２１】
（８）本発明の画像形成装置において、前記搬送選択入力手段により所定時間内に前記搬送選択情報が入力されなかった場合、前記原稿搬送手段による前記原稿の搬送、前記画像読取手段による前記原稿の画像読取りおよび前記画像形成手段による前記原稿の画像形成を継続し、かつ前記後処理手段による後処理を中止するか、または前記原稿搬送手段による前記原稿の搬送、前記画像読取手段による前記原稿の画像読取りおよび前記画像形成手段による前記原稿の画像形成を中止し、かつ前記後処理手段による後処理を中止するかを予め選択する継続中止選択情報を入力する継続中止選択入力手段を備えたことに特徴がある。
【００２２】
（９）本発明の画像形成装置において、前記原稿搬送手段は、前記分離手段によって分離された１枚の原稿の厚さを測定する厚さ測定手段を備え、前記搬送制御手段は、前記移動量と前記厚さ測定手段によって測定された前記原稿の厚さとに基づいて前記複数の原稿の枚数を再び予測し、前記第１通信手段を介して前記複数の原稿の再予測枚数を示す再予測枚数情報を前記読取形成制御手段へ送信し、前記読取形成制御手段は、前記再予測枚数情報と前記後処理可能枚数情報とに基づいて前記後処理の可否を判断し、前記後処理情報表示手段に前記後処理情報を再表示させることに特徴がある。
【発明の効果】
【００２３】
（１）本発明は、原稿載置台に複数の原稿が載置された状態で複数の原稿の枚数を予測して得られた原稿予測枚数と、後処理手段が後処理を施すことのできる後処理可能枚数と、に基づいて原稿の搬送開始前に後処理の可否を判断し、後処理情報表示手段に後処理情報を表示させるので、例えば、原稿セット時に原稿セット枚数を予測し、予測枚数に基づいて原稿フィード前にユーザに対する警告メッセージを表示することができるという効果を有する画像形成装置を提供することができる。
【００２４】
（２）本発明によれば、読取形成制御手段と搬送制御手段との通信を行う第１通信手段と、読取形成制御手段と後処理制御手段との通信を行う第２通信手段と、原稿載置台に複数の原稿が載置された状態で前記複数の原稿の枚数を予測し、第１通信手段を介して前記複数の原稿の予測枚数を示す予測枚数情報を読取形成制御手段へ送信する搬送制御手段と、第２通信手段を介して後処理を施すことのできる後処理可能枚数を示す後処理可能枚数情報を読取形成制御手段へ送信する後処理制御手段と、前記予測枚数情報と前記後処理可能枚数情報とに基づいて前記原稿の搬送開始前に後処理の可否を判断し、後処理情報表示手段に後処理情報を表示させる読取形成制御手段と、を設けることにより、例えば、画像読取手段および後処理情報表示手段を備えた画像形成装置と、自動原稿搬送装置と、シート材後処理装置と、からなる画像形成システムにおいて、原稿セット時に原稿セット枚数を予測し、予測枚数に基づいて原稿フィード前にユーザに対する警告メッセージを表示することができる。そして、ユーザは無駄な画像読取りや画像形成を行う前に警告メッセージ等によって設定入力した後処理の可否を知ることができる。
【００２５】
（３）本発明によれば、搬送制御手段は、移動手段によって原稿載置台が初期位置から分離位置まで移動されたときの移動量に基づいて原稿の枚数を予測するので、特に原稿の枚数を測定するための構成を要せず、従前と同様の構成で原稿セット枚数を予測することができる。
【００２６】
（４）本発明によれば、搬送制御手段は、原稿載置台の移動手段を駆動するパルスモータに入力されたパルス数に基づいて原稿載置台の移動量を算出するので、例えば、移動手段の駆動時間に基づいて原稿載置台の移動量を算出するのに比べ、可動原稿テーブルの移動量を精度良く計測することができる。よって、原稿セット枚数の予測精度が向上する。
【００２７】
（５）本発明によれば、後処理情報表示手段により後処理情報が表示された場合、原稿搬送手段による原稿の搬送を開始するか否かを選択する搬送選択情報を入力する搬送選択入力手段を備えたことにより、ユーザは警告メッセージ等の後処理情報を認識したうえで、原稿の搬送を開始し、画像形成を継続するか否かを選択することができる。
【００２８】
（６）本発明によれば、搬送選択入力手段により所定時間内に搬送選択情報が入力されなかった場合、画像形成（原稿搬送、画像読取りを含む）が継続して行われ、後処理手段による後処理が中止されるので、ユーザは少なくとも画像形成済みの用紙を取得することができ、画像形成の中止による時間的ロスを防ぐことができる。
【００２９】
（７）本発明によれば、搬送選択入力手段により所定時間内に搬送選択情報が入力されなかった場合、画像形成（原稿搬送、画像読取りを含む）が中止されるとともに、後処理手段による後処理が中止されるので、ユーザは綴じられていない未処理の画像形成済み用紙を受取って煩雑な作業（例えば、手作業による綴じ）を行う必要がない。
【００３０】
（８）本発明によれば、搬送選択入力手段により所定時間内に前記搬送選択情報が入力されなかった場合の処理（画像形成の継続と後処理の中止、または画像形成と後処理の中止）を予め選択する継続中止選択入力手段を設けたことにより、ユーザは予め任意に前記処理を選択することができる。したがって、画像形成装置の設置環境やユーザの使用方法に柔軟に対応することができ、使い勝手が良くなる。
【００３１】
（９）本発明によれば、搬送制御手段は、原稿載置台の移動量と、分離された１枚の原稿の厚さを測定する厚さ測定手段によって測定された原稿の厚さと、に基づいて原稿セット枚数を再び予測し、再予測枚数を示す再予測枚数情報を読取形成制御手段へ送信し、読取形成制御手段は、再予測枚数情報と後処理可能枚数情報とに基づいて後処理の可否を判断し、後処理情報表示手段に後処理情報を再表示させるので、例えば、原稿セット時の後処理可否判断によって後処理可能であったものが、原稿フィード後の精度の高い厚さ測定手段による測定に基づいて後処理不可能とされた場合に、警告メッセージを出力することができる。よって、ユーザに対し、精度の高い後処理可否判断によって的確な後処理情報を通知することができる。
【発明を実施するための最良の形態】
【００３２】
以下、本発明の実施の一形態としての画像形成装置について、図面を用いて説明する。
【００３３】
まず、本発明の第１の実施の形態としての複写機を図１に示す。
【００３４】
図１において、複写機８０は、装置本体３００と、装置本体３００の上部に取付けられた自動原稿搬送装置（ＡＤＦ）４００と、装置本体３００に外付けされたフィニッシャ(
シート部材後処理装置）５００と、を有する構成である。
【００３５】
装置本体３００は、給紙部３００ａ、印刷部（画像形成部）３００ｂ、第１読取部（スキャナ部）８１、操作部１０８（図５参照）、等を備えている。
【００３６】
給紙部３００ａは、図示しない給紙トレイ内に積載した用紙中から１枚ずつ取出して印刷部３００ｂへ搬送するようになっている。印刷部３００ｂは、例えば、電子写真式の画像形成部であって、感光体の周辺に帯電部、露光部、現像部、転写部、クリーニング部、定着部、等を順次配置した構成を有している。第１読取部８１は、ＡＤＦ４００によってスリットガラス２１ａおよびコンタクトガラス２１ｂ（図３参照、以下、単にコンタクトガラスともいう）上に搬送されてきた原稿の画像を光学的に読取り、読取った画像データを光電変換、アナログ・ディジタル変換（Ａ／Ｄ変換）した後、画像メモリに蓄積するようになっている。操作部１０８は、ＬＣＤ表示部１０８ａおよび各種キー１０８ｂ、１０８ｃ、１０８ｄ（図２参照）を備えている。ＡＤＦ４００は、装置本体３００上部のコンタクトガラス上に１枚ずつ原稿を搬送し、第１読取部８１または第１読取部８１および第２読取部２５（図３参照）に読取られた後の原稿を排紙するようになっている。フィニッシャ５００は、詳細に図示しないが内部にステープル機構を備えており、装置本体３００の排出口から排出された印刷済み用紙を１枚ずつ受入れて積載するステープルトレイと、ステープルトレイに積載された所定枚数の用紙にステープル処理を施すステープル装置と、ステープル処理が施された用紙を排出する用紙排紙トレイ５０２と、を備えている。
【００３７】
次に、本発明の第１の実施の形態としての操作部パネルを図２に示す。
【００３８】
図２において、操作部１０８は、ユーザに対するメッセージ等の各種情報を表示するＬＣＤ表示部１０８ａと、複写機８０の操作に必要な情報を入力するためのテンキー１０８ｂと、画像読取りおよび画像形成の開始、停止を指示するためのストップキー１０８ｃ、スタートキー１０８ｄと、複写機８０の電源のオン、オフを指示するための電源キー１０８ｅと、を有している。
【００３９】
ＬＣＤ表示部１０８ａには、テンキー１０８ｂ等の操作によって設定入力された情報（例えば、複写（コピー）部数、片面読取り、両面読取り、拡大、縮小、集約、ステープル処理の有無）、画像読取りが行われた原稿枚数、画像形成が行われた用紙枚数、等が表示されるようになっている。また、原稿セット時に予測された原稿セット枚数が後処理能力（ステープル処理可能なシート（用紙）枚数）を超えている場合、ＬＣＤ表示部１０８ａには、図２に示すように警告メッセージが表示されるようになっている。さらに、ＬＣＤ表示部１０８ａには、ステープル処理等の後処理および画像編集等の画像形成方法を選択するための選択情報が表示され、テンキー１０８ｂ等の操作によって選択されるようになっている。なお、本実施の形態に限らず、ＬＣＤ表示部１０８ａの画面表示による警告に替えてランプの点灯やブザーの鳴動を行うようにしても良い。
【００４０】
次に、本発明の第１の実施の形態としてのＡＤＦの詳細な構成を図３に示す。
【００４１】
図３において、ＡＤＦ４００は、複写機８０の装置本体３００にヒンジ等の連結部材で連結され、コンタクトガラス２１ｂ上に開閉自在に搭載されている。ＡＤＦ４００は、読取対象の原稿束をセットする原稿セット部Ａ、セットされた原稿束から一枚毎原稿を分離して搬送する分離給紙部Ｂ、搬送された原稿を一次突き当て整合する働きと、整合後の原稿を引き出し搬送する働きのレジスト部Ｃ、搬送される原稿を反転させて、原稿面を読取り側（下方）に向けて搬送する反転部Ｄ、原稿の表面画像を、コンタクトガラス２１ｂの下方より読取らせる第１読取搬送部Ｅ、表面（第１面）読取り後の原稿の裏面（第２面）の画像を読取る第２読取搬送部Ｆ、表裏の読取りが完了した原稿を装置外に排出する排紙部Ｇ、読取り完了後の原稿を排紙トレイ２９に積載保持するスタック部Ｈ、を含む機構部を有している。
【００４２】
原稿セット部Ａは、原稿テーブル２、可変原稿テーブル３、セットフィラー４、原稿セットセンサ５、底板ホームポジション（ＨＰ）センサ６、ピックアップローラ７、テーブル上昇センサ８、原稿長さセンサ３０、３１等を有している。分離給紙部Ｂは、給紙ベルト９、リバースローラ１０、等を有している。レジスト部Ｃは、突き当てセンサ１１、プルアウトローラ１２、原稿幅センサ１３、等を有している。反転部Ｄは、中間ローラ１４、読取入口センサ１５、読取入口ローラ１６、レジストセンサ１７、等を有している。第１読取搬送部Ｅは、読取入口ガイド１８、第１読取搬送ローラ１９、読取出口ガイド２２、読取出口ローラ２３、読取搬送ガイド３２、等を有している。第２読取搬送部Ｆは、排紙センサ２４、第２読取部２５、第２読取搬送ローラ２６、ＣＩＳ出口ローラ２７、等を有している。排紙部Ｇは、排紙ローラ２８、等を有している。スタック部Ｈは、排紙トレイ２９、等を有している。
【００４３】
ＡＤＦ４００は、第１読取部８１の光学系を固定して、読取対象の原稿１を所定の速度で搬送しながら、第１読取部８１、第２読取部２５の一方または両方で画像を読取るシートスルー方式（自動搬送モード）と、読取対象の原稿を固定して、第１読取部８１の光学系を移動させながら画像を読取る原稿固定読取方式（圧板モード）のいずれにも対応可能なものである。なお、第２読取部２５は等倍光学系の密着イメージセンサ（ＣＩＳ）を有し、図示していないコンタクトガラス等とともにユニット化されている。前述したシートスルー読取方式で原稿の両面を読取る場合、第１読取部８１で第１面を読取り、連続して第２読取部２５で第２面を読取るようになっている。
【００４４】
次に、本発明の第１の実施の形態としての複写機の制御部の構成を図４に示す。
【００４５】
図４に示すように、複写機８０の装置本体３００、ＡＤＦ４００およびシート部材後処理５００は、それぞれ制御手段として本体制御部１１１、ＡＤＦコントローラ１００および後処理コントローラ５０１を有し、これらの制御手段は、例えば、ＣＰＵおよびメモリ部（ＲＡＭ／ＲＯＭ等）を有するマイクロコンピュータで構成されている。本体制御部１１１とＡＤＦコントローラ１００とは、通信手段（例えば、通信インタフェース１０７（図５参照））によって通信可能となっている。また、本体制御部１１１と後処理コントローラ５０１とは、図示していない通信手段によって通信可能となっている。本体制御部１１１は通信手段を用いてＡＤＦ４００とシート部材後処理装置５００の双方から必要な情報を入力するようになっている。なお、ＺＥＳＭは予備の信号であり、電圧供給の通知等に用いられる。ＬＡＭＰＧＴは第１読取部８１の露光（オン、オフ）を示す信号である。原稿セットは、原稿セットセンサ５によって原稿テーブル２への原稿セット検知を示す信号である。ＡＰＳは、ＡＰＳセンサ３０１（図５参照）による圧板（ＡＤＦ４００の下面）の開閉検知信号である。
【００４６】
特に、本体制御部１１１は、複写機８０の電源オン時に後処理コントローラ５０１から通信手段を介して後処理能力の情報を入力し、メモリ部（後処理能力記憶手段）に記憶するようになっている。また、本体制御部１１１は、原稿テーブル２への原稿セット時にＡＤＦコントローラ４００からインタフェース１０７を介して原稿セット枚数の情報（予測値）を入力し、メモリ部（原稿セット枚数記憶手段）に記憶するようになっている。さらに、本体制御部１１１は、メモリ部に記憶された後処理能力の情報と原稿セット枚数の情報とに基づいてシート部材後処理装置５００の後処理の可否を判断するようになっている（読取形成制御手段）。
【００４７】
次に、本発明の第１の実施の形態としての複写機の装置本体とＡＤＦの制御部の構成を図５に示す。
【００４８】
図５に示すように、ＡＤＦコントローラ１００は、各種センサ５、６、８、１１、１３、１５、１７、３０１からの信号を入力して本体制御部１１１に送信するとともに、本体制御部１１１からの制御信号および各種センサからの信号に基づいて駆動部の各種モータ１０１〜１０５等による一連の搬送動作を制御するようになっている。また、ＡＤＦコントローラ１００は、ＡＤＦ側に配設された第２読取部２５に対して電源を供給するとともに、本体制御部１１１から送信される制御信号に基づいて、第２読取部２５に対して読取タイミングを示すタイミング信号を送出し、露光のための光源を点灯／消灯させるようになっている。
【００４９】
本体制御部１１１は、操作部１０８の操作に基づいて画像読取りおよび画像形成に関する情報（設定）を入力するとともに、ＡＤＦコントローラ１００から送信される信号に基づいて第１読取部８１に対して読取タイミングを示すタイミング信号を送出し、露光のための光源を点灯／消灯させるようになっている。さらに、本体制御部１１１は、画像形成に関する設定と、第１読取部８１で読取られた原稿（第１面）の画像データ（または第１読取部８１および第２読取部２５で読取られた原稿（第１面、第２面）の画像データ）とに基づいて画像形成部を駆動させ、所定の用紙に画像形成を行うようになっている。
【００５０】
以上のように構成された複写機８０について、図６を用いてその装置本体３００の電源オン時の処理を説明する。
【００５１】
電源キー１０８ｅの操作に基づいて複写機８０に電源電圧が供給され（ステップＳ１０１）、装置本体３００の本体制御部１１１の立ち上げが完了すると（ステップＳ１０２）、まず、本体制御部１１１はシート部材後処理装置の後処理コントローラ５０１との通信を開始する（ステップＳ１０３）。この通信で後処理コントローラ５０１から後処理能力（例えば、ステープル処理可能なシート枚数）の情報（信号）を受信すると（ステップＳ１０４）、本体制御部１１１は前述のマイクロコンピュータのメモリ部に後処理能力の情報を記憶する（ステップＳ１０５）。次いで、本体制御部１１１はＡＤＦコントローラ１００との通信を開始する（ステップＳ１０６）。
【００５２】
次に、複写機８０について、図７を用いてその装置本体３００の原稿セット時の処理を説明する。
【００５３】
前述したように、本体制御部１１１はＡＤＦコントローラ１００との通信を行い、ＡＤＦコントローラ１００から原稿セットセンサ５の検知信号を受信した後、さらに原稿セット枚数の情報（信号）を受信すると（ステップＳ２０１）、前述のマイクロコンピュータのメモリ部に原稿セット枚数の情報を記憶する（ステップＳ２０２）。次いで、本体制御部１１１は操作部１０８の操作に基づいて後処理の設定情報を入力する（ステップＳ２０３）。例えば、前述の原稿セット枚数を１０部、ステープル処理することを示す情報を入力する。ここで入力した後処理の設定情報は前述のマイクロコンピュータのメモリ部に記憶される。
【００５４】
この後、操作部１０８の操作に基づいて操作部１０８からインタフェース１０６を介して複写開始要求を受信すると（ステップＳ２０４）、本体制御部１１１は前述のマイクロコンピュータのメモリ部に記憶された後処理能力の情報と原稿セット枚数の情報とに基づいて後処理が可能であるか否かを判断する（ステップＳ２０５）。ここで後処理が可能であると判断した場合、本体制御部１１１はＡＤＦコントローラ１００に対して原稿搬送開始要求を送信する（ステップＳ２０６）。一方、後処理が不可能であると判断した場合、本体制御部１１１は操作部１０８のＬＣＤ表示部１０８ａに警告メッセージ（図２参照）を出力させる（ステップＳ２０７）。この警告メッセージにより、ユーザは原稿テーブル２上の原稿を減数してセットし直すか、あるいは後処理の設定を解除することになる。
【００５５】
なお、本実施の形態では、原稿セット後にユーザが後処理の設定を行ってから複写動作開始としているが、ユーザが後処理等の設定を行った後に原稿をセットするようにしてもよい。
【００５６】
また、本実施の形態では、予測した原稿セット枚数が後処理能力を超えた場合に警告メッセージを出力するようにしたが、これに限らず、後処理が可能なことを示すＯＫメッセージをも出力するようにしても良い。
【００５７】
次に、複写機８０について、図８を用いてそのＡＤＦコントローラ１００の原稿セット時の処理を説明する。
【００５８】
まず、ユーザによって可動原稿テーブル３を含む原稿テーブル２上に、原稿面を上向きにして原稿がセットされる。ここで図示しないサイドガイドによって搬送方向と直行する方向の位置決めが行われる。
【００５９】
前述した原稿のセットは、セットフィラー４の位置に基づいて原稿セットセンサ５により検知され、原稿セットセンサ５からＡＤＦコントローラ１００に対して検知信号が出力される。この出力に基づいて、ＡＤＦコントローラ１００から通信インタフェース１０７を介して本体制御部１１１に対し、検知情報（信号）が送信される。また、原稿のセットに伴い、原稿テーブル面に設けられた原稿長さセンサ３０、３１からＡＤＦコントローラ１００に対して検知信号が出力される。この出力に基づいて、ＡＤＦコントローラ１００は原稿の搬送方向長さの概略を判定する。なお、原稿長さセンサ３０、３１は、反射型センサまたは原稿１枚にても検知可能なアクチェータ・タイプのセンサからなり、少なくとも同一原稿サイズの縦か横かを判断可能なように配置されている。
【００６０】
原稿セットセンサ５による原稿セットの検知に基づいて、ＡＤＦコントローラ１００は底板上昇モータ１０５を正転させて原稿束の最上面がピックアップローラ７と接触するように可動原稿テーブル３を上昇させる（ステップＳ３０１）。なお、可動原稿テーブル３は、原稿がセットされていない場合に底板ＨＰセンサ６により検知される位置に待機し、原稿がセットされると下降し（図３中、ｂ方向）、さらに底板上昇モータ１０５の駆動で上昇する（図３中、ａ方向）。
【００６１】
可動原稿テーブル３の上昇によって底板ＨＰセンサ６がオフになると（ステップＳ３０２）、ＡＤＦコントローラ１００は可動原稿テーブル３の移動量を検出するためにタイマカウントを開始する（ステップＳ３０３）。この後、可動テーブル３上の原稿上面によりピックアップローラ７が押上げられて（図３中、ｃ方向）、テーブル上昇検知センサ８により検知されると（ステップＳ３０４）、ＡＤＦコントローラ１００は底板上昇モータ１０５を停止させるとともにタイマカウントを終了する（ステップＳ３０５）。なお、ピックアップローラ７は、ピックアップモータ１０１の駆動でカム機構により上下方向（図３中、ｃ、ｄ方向）に動作すると共に、可動テーブル３の上昇で押上げられてテーブル上昇検知センサ８により上限を検知されるようになっている。
【００６２】
次いで、ＡＤＦコントローラ１００はステップＳ３０５で取得したタイマカウント値（底板上昇モータ１０５の駆動時間に相当する）に基づいて可動原稿テーブル３の移動量を検出し、この移動量に基づいて原稿セット枚数を予測し、予測した原稿セット枚数の情報を本体制御部１１１へ送信する（ステップＳ３０６）。具体的には、予め設定された原稿１枚当りの厚さと可動原稿テーブル３の移動量（原稿束の厚さ）とに基づいて原稿セット枚数を予測する。例えば、操作部１０８の操作によって原稿の種類を入力し、これに基づいて厚さを設定するようにしても良い。
【００６３】
なお、底板上昇モータ１０５はパルスモータであるために、本実施の形態に限らず、底板上昇モータ１０５に入力された駆動パルス数を計測し、これに基づいて可動原稿テーブル３の移動量を検出するようにしてもよい。この構成によれば、底板上昇モータ１０５の駆動時間を計測する方法に比べて精度良く、可動原稿テーブル３の移動量を検出することができる。よって、原稿セット枚数の予測精度も向上する。
【００６４】
次いで、ＡＤＦコントローラ１００は、本体制御部１１１の原稿搬送命令（原稿給紙信号）を受信すると（ステップＳ３０７）、給紙モータ１０２を正転させてピックアップローラ７を回転駆動させる。この回転駆動によって、原稿テーブル２上の数枚（理想的には１枚）の原稿がピックアップされる。なお、原稿給紙信号（原稿搬送命令、原稿搬送開始要求に相当する）は、本体制御部１１１によってスタートキー１０８ｄの操作が検出されると、本体制御部１１１からインタフェース１０７を介してＡＤＦコントローラ１００へ送信される。
【００６５】
さらに、複写機８０について、そのＡＤＦコントローラ１００の原稿搬送時（フィード開始後）の動作を説明する。
【００６６】
前述したように給紙モータ１０２の正転によりピックアップローラ７が回転駆動するとともに、給紙ベルト９は給紙方向に駆動され、リバースローラ１０は給紙と逆方向に回転駆動され、最上位の原稿とその下の原稿を分離する。この分離作用によって、最上位の原稿のみが給紙される。
【００６７】
給紙ベルト９とリバースローラ１０とにより１枚ずつ分離された原稿は給紙ベルト９によってさらに搬送され、突き当てセンサ１１によって先端が検知されさらに進んで停止しているプルアウトローラ１２に突き当たる。この後、突き当てセンサ１１の検知から所定量定められた距離搬送され、結果的には、プルアウトローラ１２に所定量の撓みを持って押し当てられた状態で給紙モータ１０２を停止させることにより、給紙ベルト９の駆動が停止する。この時、ピックアップモータ１０１を回転させてピックアップローラ７を原稿上面から退避させ、原稿を給紙ベルト９の搬送力のみで送ることにより、原稿先端は、プルアウトローラ１２のニップ部に進入し、先端の整合（スキュー補正）が行われる。
【００６８】
次いで、給紙モータ１０２の逆転によりプルアウトローラ１２および中間ローラ１４が駆動され、スキュー補正された原稿はプルアウトローラ１２から中間ローラ１４へと搬送される。なお、給紙モータ１０２の逆転時には、ピックアップローラ７と給紙ベルト９は駆動されない。ここで、原稿幅センサ１３は奥行き方向に複数個並べられ、プルアウトローラ１２により搬送された原稿の搬送方向に直行する幅方向のサイズを検知する。また、原稿の搬送方向の長さは、原稿の先端後端を突き当てセンサ１１で読取ることによりモータパルスから検知する。
【００６９】
次いで、中間ローラ１４により搬送された原稿の先端が読取入口センサ１５により検知されると、読取入口ローラ１６のニップ部に原稿の先端が進入する前に、原稿搬送速度を読取搬送速度と同速にするための減速を開始すると同時に、読取モータ１０３を正転駆動して読取入口ローラ１６、読取出口ローラ２３、ＣＩＳ出口ローラ２７を駆動する。原稿の先端がレジストセンサ１７にて検知されると、所定の搬送距離をかけて減速し、読取位置２０の手前で一時停止するとともに、ＡＤＦコントローラ１００は本体制御部１１１へ通信インタフェース１０７を介してレジスト停止信号を送信する。
【００７０】
次いで、本体制御部１１１から送信された読取開始信号を受信すると、ＡＤＦコントローラ１００は、レジスト停止していた原稿が読取位置２０に原稿先端が到達するまで所定の搬送速度に立上がるように加速して搬送させる。ここで、ＡＤＦコントローラ１００は、読取モータ１０３のパルスカウントを行い、原稿先端が第１読取部８１に到達するタイミングで、本体制御部１１１に対して第１面の副走査方向有効画像領域を示すゲート信号を送信する。このゲート信号は、第１読取部８１を原稿後端が抜けるまで送信される。
【００７１】
片面読取りの場合には、読取搬送部Ｅを通過した原稿は第２読取部２５を経て排紙部Ｇへ搬送される。この際、排紙センサ２４により原稿の先端が検知されると、ＡＤＦコントローラ１００は、排紙モータ１０４を正転駆動させて排紙ローラ２８を反時計方向に回転させる。また、ＡＤＦコントローラ１００は、排紙センサ２４による原稿の先端検知からの排紙モータ１０４のパルスカウントを行い、原稿後端が排紙ローラ２８のニップ部から抜ける直前に排紙モータ１０４の駆動速度を減速させ、排紙された原稿が排紙トレイ２９から飛び出さないように制御する。
【００７２】
両面読取りの場合には、ＡＤＦコントローラ１００は、排紙センサ２４にて原稿先端が検知されてから読取モータ１０３のパルスカウントを行い、第２読取部２５に原稿先端が到達するタイミングで、第２読取部２５に対して副走査方向の有効画像領域を示すゲート信号を送信する。このゲート信号は第２読取部２５を原稿後端が抜けるまで送信される。第２読取部２５による画像読取り時、第２読取搬送ローラ２６は原稿の浮きを抑えると同時に、第２読取部２５におけるシェーディングデータを取得するための白基準部として用いられる。
【００７３】
このような本発明の第１の実施の形態としての複写機８０によれば、本体制御部１１１は画像読取り開始前（原稿セット時）にＡＤＦコントローラ１００から原稿セット枚数の予測枚数情報を受信し、後処理コントローラ５０１から後処理能力（後処理可能枚数）の情報を受信し、双方の情報に基づいて後処理の可否を判断し、判断結果に応じて警告メッセージ（後処理情報）を出力するので、ユーザは原稿フィード前に後処理の可否を知ることができる。したがって、無駄な画像読取りおよび画像形成を回避することができる。なお、操作部１０８のＬＣＤ表示部１０８ａに警告メッセージを出力するので、ユーザは容易に視認することができる。
【００７４】
また、本実施の形態によれば、原稿セット枚数を予測するために新たな構成部品を要さない。例えば、ＡＤＦ４００の原稿テーブル２が大量（例えば、２０００枚超）の原稿を積載可能な場合についても、従来の構成で原稿セット枚数の予測を行うことができる。
【００７５】
次に、本発明の第２の実施の形態としての複写機の操作部の構成を図９に示す。これは、第１の実施の形態とはステープル処理等の後処理についての警告メッセージを表示するとともに、操作部１０８の操作に基づいて後処理の継続、中止を選択するようにした点が相違している。なお、第１の実施の形態と同一構成については同一符号を付与して説明を省略する。
【００７６】
図９において、操作部１０８は、後処理についての警告メッセージ、後処理の継続、中止を指示するための情報、等を表示するＬＣＤ表示部１０８ａを有している。ＬＣＤ表示部１０８ａは、原稿テーブル２に対する原稿セット枚数がシート部材後処理装置５００の後処理能力を超えている場合、警告メッセージとともに、装置本体３００、ＡＤＦ４００およびシート部材後処理装置５００の処理を継続するか中止するかの選択を促す選択情報（搬送選択情報）を表示するようになっている。
【００７７】
以上のように構成された複写機８０について、図１０（ａ）を用いてその本体制御部１１１の選択画面表示処理を説明する。
【００７８】
まず、第１の実施の形態に基づいて操作部１０８から複写開始要求を受信すると、本体制御部１１１は前述のマイクロコンピュータのメモリ部に記憶した後処理能力の情報と原稿セット枚数の情報とに基づいて後処理が可能であるか否かを判断する。ここで、後処理が不可能であると判断した場合、本体制御部１１１はＬＣＤ表示部１０８ａに原稿セット枚数がシート部材後処理装置５００の後処理能力を超えていることを示す警告メッセージとともに、処理を継続する場合はスタートキー１０８ｄを押し、処理を中止する場合にはストップキー１０８ｃを押すように促すメッセージを表示させ、さらに表示時間を計測するためのタイマカウントを開始する（ステップＳ４０１）。
【００７９】
この後、本体制御部１１１はストップキー１０８ｃの押下を検出すると（ステップＳ４０２）、ＡＤＦコントローラ１００に対して原稿搬送中止要求（信号）を送信し、原稿の搬送を中止させる（ステップＳ４０３）。また、本体制御部１１１はスタートキー１０８ｄの押下を検出すると（ステップＳ４０４）、ＡＤＦコントローラ１００に対して原稿搬送開始要求（信号）を送信し、原稿の搬送を開始させる（ステップＳ４０５）。さらに、本体制御部１１１は所定時間（例えば、６０秒）が経過してもキー操作がなされないと（ステップＳ４０６）、前述のように原稿搬送開始要求（信号）を送信し、ＡＤＦコントローラ１００に原稿の搬送を開始させる（ステップＳ４０５）。
【００８０】
このような本発明の第２の実施の形態としての複写機８０によれば、ＬＣＤ表示部１０８ａに警告メッセージおよびキー操作を促すメッセージを表示し、ユーザのキー操作に基づいて原稿搬送、画像読取りおよび画像形成の継続または中止を指示するようにしたことにより、ユーザが任意に継続または中止を選択することができる。また、例えば、片面ずつの画像形成を両面の画像形成に変更し、あるいは原稿を集約して画像形成を行う等、後処理が可能となるように変更して継続することも可能となる。
【００８１】
また、本実施の形態によれば、ＬＣＤ表示部１０８ａに警告メッセージおよびキー操作を促すメッセージを表示してから所定時間が経過してもキー操作がなされないと、原稿の搬送を開始するようにしたことにより、ユーザが大量の出力設定をして一旦複写機８０から離れ、再び戻ってきたときに画像形成が行われていないという事態を回避し、時間的ロスを防ぐことができる。
【００８２】
なお、前述した実施形態では、ＬＣＤ表示部１０８ａに警告メッセージおよびキー操作を促すメッセージを表示してから所定時間が経過してもキー操作がなされないと、原稿の搬送を開始するようにした場合について説明したが、本発明はこのほかに、所定時間が経過してもキー操作がなされないと、原稿の搬送を中止するようにしても良い。この場合の本体制御部１１１の選択画面表示処理を図１０（ｂ）に示す。ここで、本体制御部１１１は前述したようにタイマカウントを開始し（ステップＳ５０１）、所定時間内にスタートキー１０８ｄの押下を検出すると（ステップＳ５０２）、ＡＤＦコントローラ１００に原稿の搬送を開始させる（ステップＳ５０３）。一方、本体制御部１１１は所定時間内にストップキー１０８ｃの押下を検出するか（ステップＳ５０４）、または所定時間内にキー操作を検出しなかった場合に（ステップＳ５０６）、ＡＤＦコントローラ１００に対して搬送中止要求（信号）を送信し、原稿の搬送を中止させる（ステップＳ５０５）。
【００８３】
この構成によれば、ユーザが大量の出力設定をして複写機８０から離れ、再び戻ってきたときに、ユーザの意図していない状態（所望の後処理がなされていない状態）でシートが出力されることを防ぎ、ユーザに画像形成のやり直しや手作業による後処理等、無駄な追加作業や画像形成処理を防ぐことができる。
【００８４】
また、前述した実施形態では、ＬＣＤ表示部１０８ａに警告メッセージおよびキー操作を促すメッセージを表示してから所定時間が経過してもキー操作がなされないと、原稿の搬送を開始するようにした場合について説明したが、本発明はこのほかに、前記メッセージを表示してから所定時間が経過してもキー操作がなされない場合に原稿の搬送を開始するか、中止するかをユーザによる操作部１０８の操作に基づいて予め選択するようにしてもよい。
【００８５】
この構成によれば、ユーザの使用方法や複写機８０の設置環境に応じて、所定時間経過後の処理を適切に設定することができる。
【００８６】
次に、本発明の第３の実施の形態としての複写機の厚さ検出機構を図１１に示す。同じく、変位センサの出力電圧と検出距離（厚さ）との関係を図１２に示す。これは、第１の実施の形態とは、原稿のフィード開始後に１枚の厚さを計測し、計測結果に基づいて原稿セット枚数を再び予測し、予測結果に応じて警告メッセージを出力する点が相違している。なお、第１の実施の形態と同一構成には同一符号を付与して説明を省略する。
【００８７】
図１１において、厚さ検出機構は、プルアウト従動ローラ１２ｂの軸１２０をプルアウト駆動ローラ１２ａの軸方向に付勢する圧縮スプリング４０３と、圧縮スプリング４０３の両端に取付けられた２つの取付部材４０１、４０２と、２つの取付部材４０１、４０２の位置変動（距離の変化）を検出する変位センサ４０４と、を有する構成である。一方の取付部材４０１は、プルアウト従動ローラ１２ｂの軸１２０を回転自在に支持するものである。他方の取付部材４０２は、ＡＤＦ４００の筐体フレームに固設されている。２つの取付部材４０１、４０２は対向配置され、プルアウトローラ１２のニップ部に原稿１が進入することによって双方の距離（圧縮スプリング４０３の伸縮方向における距離）が変化するようになっている。変位センサ４０４は、例えば光学的に２つの取付部材４０１、４０２の距離を検出するものであって、図１２に示すように、その出力電圧と検出距離とは比例関係にある。したがって、ＡＤＦコントローラ１００は、プルアウトローラ１２のニップ部に原稿１が進入しないときの出力電圧に対応する検出距離と、そのニップ部に原稿１が進入通過したときの出力電圧に対応する検出距離と、の差から原稿１の厚さを検出することができる。
【００８８】
なお、本実施の形態では、プルアウトローラ１２に厚さ検出機構を設けたが、これに限らず、例えばリバースローラ１０等に設けても良い。
【００８９】
以上のように構成された複写機８０について、図１３を用いてそのＡＤＦコントローラ１００の原稿セット時の処理を説明する。
【００９０】
まず、ユーザによって可動原稿テーブル３を含む原稿テーブル２上に、原稿面が上向きの状態で原稿が位置決めされ、セットされる。原稿セットセンサ５によって原稿セットが検知され、原稿セットセンサ５による原稿セットの検知に基づいて、ＡＤＦコントローラ１００は底板上昇モータ１０５を正転させて原稿束の最上面がピックアップローラ７と接触するように可動原稿テーブル３を上昇させる（ステップＳ６０１）。
【００９１】
前述のように、可動原稿テーブル３の上昇によって底板ＨＰセンサ６がオフになると（ステップＳ６０２）、ＡＤＦコントローラ１００は可動原稿テーブル３の移動量を検出すためにタイマカウントを開始する（ステップＳ６０３）。この後、可動テーブル３上の原稿上面によりピックアップローラ７が押上げられてテーブル上昇検知センサ８により検知されると（ステップＳ６０４）、ＡＤＦコントローラ１００は底板上昇モータ１０５を停止させるとともにタイマカウントを終了する（ステップＳ６０５）。
【００９２】
次いで、ＡＤＦコントローラ１００はステップＳ６０５で取得したタイマカウント値に基づいて前述のように可動原稿テーブル３の移動量を検出し、この移動量に基づいて原稿セット枚数を予測し、予測した原稿セット枚数の情報を本体制御部１１１へ送信する（ステップＳ６０６）。
【００９３】
次いで、ＡＤＦコントローラ１００は、本体制御部１１１の原稿搬送命令（原稿給紙信号）を受信すると（ステップＳ６０７）、給紙モータ１０２を正転させてピックアップローラ７を回転駆動させる。この回転駆動によって、原稿テーブル２上の数枚（理想的には１枚）の原稿がピックアップされる。
【００９４】
この後、給紙ベルト９とリバースローラ１０とで分離された１枚の原稿がプルアウトローラ１２のニップ部に進入すると（ステップＳ６０９）、ＡＤＦコントローラ１００は、前述のように変位センサ４０４の出力電圧に基づいて原稿の厚さを検出する（ステップＳ６１０）。次いで、ステップＳ６０５で取得したタイマカウント値に基づいて予測した可変原稿テーブル３の移動量（原稿束の厚さに相当する）と、ステップＳ６１０で検出した１枚の原稿の厚さと、に基づいて原稿セット枚数を算出（予測）し（ステップＳ６１１）、その原稿セット枚数の情報を本体制御部１１１へ送信する（ステップＳ６１２）。
【００９５】
次に、本実施の形態の複写機８０について、図１４を用いてその本体制御部１１１の原稿搬送時の処理を説明する。
【００９６】
前述のようにＡＤＦコントローラ１００に対して原稿搬送命令（原稿搬送開始要求）を送信した後、ＡＤＦコントローラ１００から再び原稿セット枚数の情報が送信されると（ステップＳ７０１）、本体制御部１１１はマイクロコンピュータのメモリ部に記憶された原稿セット枚数の情報を更新する（ステップＳ７０２）。さらに、本体制御部１１１はマイクロコンピュータのメモリ部に記憶された後処理能力（後処理可能なシート枚数）の情報を読出す（ステップＳ７０３）。
【００９７】
次いで、本体制御部１１１は、ステップＳ７０２で更新した原稿セット枚数と、ステップＳ７０３で読出した後処理能力の情報と、に基づいて原稿セット枚数が後処理能力を超えているか否かを判断する（ステップＳ７０４）。ここで、原稿セット枚数が後処理能力を超えていないと判断した場合、本体制御部１１１は、画像読取りおよび画像形成の動作を実行する。
【００９８】
一方、ステップＳ７０４において原稿セット枚数が後処理能力を超えていると判断した場合、本体制御部１１１は、原稿セット時の後処理能力超過判断で警告メッセージが出力済みか否かを判断する（ステップＳ７０５）。ここで、警告メッセージが出力済みであると判断した場合、本体制御部１１１は画像読取りおよび画像形成の動作を実行する。また、警告メッセージがまだ出力されていないと判断した場合、本体制御部１１１はＬＣＤ表示部１０８ａに警告メッセージ（図２参照）を出力させる（ステップＳ７０６）。
【００９９】
このような本発明の第３の実施の形態としての複写機８０によれば、分離給紙後の原稿の厚さを検出する変位センサ４０４を有する厚さ検出機構を設け、原稿セット時に予測した原稿セット枚数に基づいて後処理の可否を判断した後、さらに原稿フィード後に精度の高い変位センサ４０４の出力に基づいて原稿セット枚数を予測し、後処理の可否を判断することにより、ユーザによって設定された後処理について早期の可否判断と精度の高い的確な可否判断とを行うことができる。
【０１００】
また、本実施の形態によれば、後処理について早期の可否判断で実行可能と判断した後、原稿フィード後に後処理能力を超えるものと判断した場合に、警告メッセージを出力することにより、装置の信頼性を高め、予告なしに後処理が解除されるという事態を回避することができる。
【０１０１】
なお、前述した実施の形態では、原稿セット時に予測した原稿セット枚数に基づいて後処理の可否を判断した後、さらに原稿フィード後に精度の高い変位センサ４０４の出力に基づいて原稿セット枚数を予測するようにした場合について説明したが、本発明はこのほかに、原稿セット時には原稿セット枚数を予測せず、原稿フィード後に精度の高い変位センサ４０４の出力に基づいて原稿セット枚数を予測するようにしてもよい。
【０１０２】
この構成によれば、前述した実施の形態に比べて早期（原稿セット時）の後処理可否判断は行われないが、変位センサ４０４の出力に基づいて精度の高い後処理可否判断が行われるので、警告メッセージの出力処理等を簡素化することができ、かつ装置の信頼性を向上させることができる。
【図面の簡単な説明】
【０１０３】
【図１】本発明の第１の実施の形態としての画像形成システムの正面図である。
【図２】本発明の第１の実施の形態としての操作部の正面図である。
【図３】本発明の第１の実施の形態としての自動原稿搬送装置の断面図である。
【図４】本発明の第１の実施の形態としての画像形成システムの制御部のブロック図である。
【図５】本発明の第１の実施の形態としての自動原稿搬送装置の制御部のブロック図である。
【図６】本発明の第１の実施の形態としての画像形成装置の電源オン時の制御フローチャートである。
【図７】本発明の第１の実施の形態としての画像形成装置の原稿セット時の制御フローチャートである。
【図８】本発明の第１の実施の形態としての自動原稿搬送装置の原稿セット時の制御フローチャートである。
【図９】本発明の第２の実施の形態としての操作部の正面図である。
【図１０】本発明の第２の実施の形態としての画像形成装置の搬送選択の制御フローチャートである。
【図１１】本発明の第３の実施の形態としてのＡＤＦの厚さ検出機構の断面図である。
【図１２】本発明の第３の実施の形態としての変位センサの出力電圧と検出距離（厚さ）との関係を示す図である。
【図１３】本発明の第３の実施の形態としての自動原稿搬送装置の原稿セット時の制御フローチャートである。
【図１４】本発明の第３の実施の形態としての画像形成装置の原稿搬送時の制御フローチャートである。
【符号の説明】
【０１０４】
１  原稿（原稿束）
２  原稿テーブル
３  可動原稿テーブル
４  セットフィラー
５  原稿セットセンサ
６  底板ホームポジション（ＨＰ）センサ
７  ピックアップローラ（分離手段）
８  テーブル上昇センサ
９  給紙ベルト（分離手段）
１０  リバースローラ（分離手段）
１１  突き当てセンサ
１２  プルアウトローラ
１２ａ  プルアウト駆動ローラ
１２ｂ  プルアウト従動ローラ
１３  原稿幅センサ
１４  中間ローラ
１５  読取入口センサ
１６  読取入口ローラ
１７  レジストセンサ
１８  読取入口ガイド
１９  第１読取搬送ローラ
２０  読取位置
２１ａ  スリットガラス
２１ｂ  コンタクトガラス
２２  読取出口ガイド
２３ａ  読取出口駆動ローラ
２３ｂ  読取出口従動ローラ
２４  排紙センサ
２５  第２読取部（画像読取手段）
２６  第２読取搬送ローラ
２７ａ  ＣＩＳ出口駆動ローラ
２７ｂ  ＣＩＳ出口従動ローラ
２８ａ  排紙駆動ローラ
２８ｂ  排紙従動ローラ
２９  排紙トレイ
３０、３１  原稿長さセンサ
３２  読取搬送ガイド
８０  複写機（画像形成装置、画像形成システム）
８１  第１読取部（画像読取手段）
１００  ＡＤＦコントローラ（搬送制御手段）
１０１  ピックアップモータ
１０２  給紙モータ
１０３  読取モータ
１０４  排紙モータ
１０５  底板上昇モータ（移動手段）
１０７  通信インタフェース（第１通信手段）
１０８  操作部（搬送選択入力手段、継続中止選択入力手段）
１０８ａ  ＬＣＤ表示部（後処理情報表示手段）
１０８ｂ  テンキー
１０８ｃ  ストップキー
１０８ｄ  スタートキー
１０８ｅ  電源キー
１１１  本体制御部（読取形成制御手段）
１２０  軸
３００  複写機の装置本体（画像形成手段）
３００ａ  給紙部（画像形成手段）
３００ｂ  印刷部（画像形成手段）
３０１  ＡＰＳセンサ
４００  自動原稿搬送装置（原稿搬送手段）
４０１、４０２  取付部材
４０３  圧縮スプリング
４０４  変位センサ（厚さ測定手段）
５００  シート部材後処理装置（後処理手段）
５０１  後処理コントローラ（後処理制御手段）
【図１】
2009163139.tif 000003
【図２】
2009163139.tif 000004
【図３】
2009163139.tif 000005
【図４】
2009163139.tif 000006
【図５】
2009163139.tif 000007
【図６】
2009163139.tif 000008
【図７】
2009163139.tif 000009
【図８】
2009163139.tif 000010
【図９】
2009163139.tif 000011
【図１０】
2009163139.tif 000012
【図１１】
2009163139.tif 000013
【図１２】
2009163139.tif 000014
【図１３】
2009163139.tif 000015
【図１４】
2009163139.tif 000016